(57)【要約】      （修正有）【課題】保全作業時の操作性に優れるとともに、作業時の安全を確保できるエレベーターの制御装置を提供する。【解決手段】乗りかご５のドアの開閉を停止させるドア止めスイッチ１２と、乗りかご５内のかご内照明装置９の点灯及び消灯を行う照明スイッチ１１とが少なくとも運転盤ボックス１０内に配設されるエレベーターの制御装置において、エレベーターのドアの開閉を検出するかご戸開閉検出装置７と、かご内照明装着９の全数点灯及び半数点灯の切り替えを行う照明切り替え装置８とを備え、照明スイッチ１１とドア止めスイッチ１２をＯＦＦした状態で、かご戸開閉検出装置７がドア開を検出したとき、照明切り替え装置８にてかご内照明装置９を半数点灯に切り替えるようにした。【選択図】図１
2012106833.tif 000002
【特許請求の範囲】
【請求項１】
エレベーターの乗りかご内に設けられ、通常は施錠されている運転盤ボックス内にドア止めスイッチと照明スイッチが少なくとも配設され、前記ドア止めスイッチの操作で、前記乗りかごのドアの開閉を停止させるとともに、前記照明スイッチの操作で、前記乗りかご内の照明装置の点灯及び消灯を行うようにしたエレベーターの制御装置において、
前記ドアの開閉を検出するドア開閉検出装置と、
前記照明装置の全数点灯及び半数点灯の切り替えを行う照明切り替え装置と、を備え、
前記照明スイッチと前記ドア止めスイッチがＯＦＦした状態で、前記ドア開閉検出装置がドア閑を検出したとき、前記照明切り替え装置にて前記照明装置を半数点灯に切り替えるようにしたことを特徴とするエレベーターの制御装置。
【請求項２】
請求項１記載のエレベーターの制御装置において、
前記照明スイッチがＯＦＦの状態で、前記ドア止めスイッチがＯＮのとき、及び前記照明スイッチと前記ドア止めスイッチがＯＦＦの状態で、前記ドア開閉検出装置がドア閉を検出したとき、前記照明スイッチのＯＦＦを有効とするようにしたことを特徴とするエレベーターの制御装置。
【発明の詳細な説明】
【技術分野】
【０００１】
本発明は、かご内照明の点灯、消灯を制御するためのエレベーターの制御装置に関する。
【背景技術】
【０００２】
この種の従来技術としては、電源投入時、エレベーターの戸を開く共に、かご内照明装置を点滅させる照明スイッチの状態とは無関係に前記かご内照明装置を点灯させ、かご内スイッチの操作を容易にする、エレベーターの制御装置が知られている（特許文献１参照）。
【先行技術文献】
【特許文献】
【０００３】
【特許文献１】特許第４２６８２６４号公報
【発明の概要】
【発明が解決しようとする課題】
【０００４】
しかしながら上記従来技術では、電源を遮断せずに照明スイッチを操作してかご内照明を消灯した場合、エレベーターの戸を手動または自動で開いても、照明は消灯したままとなる。そのためかご内が暗く、かご内スイッチの操作を行い難いという問題があった。
【０００５】
また、前記消灯時、作業工具等の物をかご内の床に置いている時に、エレベーターの戸を手動または自動で開きかご内から乗り場へ出る場合、または逆に乗り込む場合、足元が暗く見えにくいため、引っかかる可能性があるという問題があった。
【０００６】
また、前記消灯時、エレベーターのかごの戸を開き、かご内から乗り場へ出る時、または逆にかご内に乗り込む時に、足元が暗く、かごと乗り場に段差があることに気づかなかった場合、段差に足を引っかけてしまう可能性があるという問題があった。
【０００７】
また、前記消灯時、乗り場から手動でエレベーターのかごの戸を開き、かごに乗り込む時、足元および周囲が暗く、かごが停止していないことに気づかなかった場合、エレベーターの昇降路に転落してしまう可能性があるという問題があった。
【０００８】
また、照明スイッチの状態に無関係にかご内照明を点灯した場合、照明が点灯しているので、照明スイッチを点灯側に切り替えるのを忘れてしまう可能性があるという問題があった。
【０００９】
本発明の目的は、保全作業時の操作性に優れるとともに、作業時の安全を確保できるエレベーターの制御装置を提供することにある。
【課題を解決するための手段】
【００１０】
本発明は上記目的を達成するため発明したもので、エレベーターの乗りかご内に設けられ、通常は施錠されている運転盤ボックス内にドア止めスイッチと照明スイッチが少なくとも配設され、前記ドア止めスイッチの操作で、前記乗りかごのドアの開閉を停止させるとともに、前記照明スイッチの操作で、前記乗りかご内の照明装置を点灯及び消灯を行うようにしたエレベーターの制御装置において、前記ドアの開閉を検出するドア開閉検出装置と、前記照明装置の全数点灯及び半数点灯の切り替えを行う照明切り替えスイッチとを備え、前記照明スイッチと前記ドア止めスイッチをＯＦＦした状態で、前記ドア開閉検出装置がドア開を検出したとき、前記照明切り替え装置にて前記照明装置を半数点灯に切り替えるようにするとともに、前記照明スイッチがＯＦＦの状態で、前記ドア止めスイッチがＯＮのとき、及び前記照明スイッチと前記ドア止めスイッチがＯＦＦの状態で、前記ドア開閉検出装置がドア閉を検出したとき、前記照明スイッチのＯＦＦを有効にすることを特徴とする。
【発明の効果】
【００１１】
本発明によれば、照明スイッチでかご内照明を消灯した時でもエレベーターの戸が開いたときに、かご内照明を一部点灯させるようにしたので、かご内での各種作業や移動に不都合の無い照度が確保できので、作業性と安全性が確保できるとともに、消灯側とした照明スイッチを戻し忘れることもない。
【図面の簡単な説明】
【００１２】
【図１】本発明の実施形態におけるエレベーターの制御装置を示すブロック図である。
【図２】本発明の実施形態におけるエレベーターの制御装置による制御の一例を説明するフローチャートである。
【発明を実施するための形態】
【００１３】
以下、本発明の一実施形態を図１、図２に基づいて説明する。
【００１４】
図１は、本発明の一実施形態におけるエレベーターの制御装置のブロック図である。
【００１５】
図１において、エレベーター制御盤１は、エレベーター制御部２と、このエレベーター制御部に組み込まれる照明制御部３と、制御盤信号入出力装置４とを有しており、制御盤信号入出力装置４は信号等を伝達するケーブルであるテールコード２０を介してエレベーターの乗りかご５に設けられるかご信号入出力装置６に接続されている。
【００１６】
また、乗りかご５には、かご信号入出力装置６の他に、乗りかご５に設けられる図示しないドアの開閉を検出するドア開閉検出装置７と、乗りかご５の天井に設けられるかご内照明装置９と、このかご内照明装置９の点灯及び消灯を指令する照明切り替え装置である照明切り替え装置８と、運転盤ボックス１０、かご内照明装置９を点灯及び消灯させる照明スイッチ１１、エレベーターの図示しないドアの開閉を停止させるドア止めスイッチ１２とが少なくとも備えられている。ここで、運転盤ボックス１０は、乗りかご５の図示しない操作盤に通常は施錠されて設けられており、照明スイッチ１１及びドア止めスイッチ１２を少なくとも配設している。
【００１７】
また、ドア開閉検出装置７と照明スイッチ１１及びドア止めスイッチ１２は、かご信号入出力装置６に接続され、このかご信号入出力装塵６と照明切り替え装置８を介してかご内照明装置９に接続されている。
【００１８】
ここで、ドア開閉検出装置７のドア開閉信号と、照明スイッチ１１のＯＮ・ＯＦＦ信号と、ドア止めスイッチ１２のＯＮ・ＯＦＦ信号とは、かご信号入出力装置６及びテールコード２０、制御盤信号入出力装置４を介して照明制御部３へ入力され、照明制御部３はこれら入力された信号の組み合わせによって、かご内照明装置９の点灯条件や消灯条件を決定し、制御盤信号入出力装置４、テールコード２０、かご信号入出力装置６を介して照明切り替え装置８を制御し、かご内照明装置９の点灯、消灯を行うように構成されている。
【００１９】
次に、かご内照明装置９の制御の一例を図２のフローチャートを用いて説明する。
【００２０】
照明制御部３は、照明スイッチ９の信号を確認し（スッテヅプＳｌ）、照明スイッチ９がＯＮのとき、かご内照明装置９を点灯する全数点灯信号を制御盤信号入出力装置４−テールコード２０−かご信号入出力装置６を介して照明切り替え装置８へ出力し、照明切り替え装置８はかご内照明装置９の全ての照明を点灯させる（ステップＳ２）。
【００２１】
次に、ステップＳｌで照明制御部３が照明スイッチ９のＯＦＦを検出すると、照明制御部３は、ドア止めスイッチ１２の状態を確認し（ステップＳ３）、ドア止めスイッチ１２がＯＮになっており、エレベーターの図示しないドアの開閉を阻止している場合、かご内照明装置９を消灯する全数消灯信号を制御盤信号入出力装置４−テールコード２０−かご信号入出力装置６を介して照明切り替え装置８へ出力し、照明切り替え装置８はかご内照明装置９の全ての照明を消灯させる（ステップＳ４）。
【００２２】
次に、ステップＳ３で、ドア止めスイッチ１２がＯＦＦの場合、照明制御部３は、ドア開閉検出装置７の信号を確認して図示しないドアの開閉状況を検出し（ステップＳ５）、図示しないドアが閉じているときは、ステップＳ４と同様に、かご内照明装置９を消灯する全灯消灯信号を照明切り替え装置８へ出力し、かご内照明装置９の全ての照明を消灯させる。
【００２３】
また、ステップＳ５で、図示しないドアが開いていることを検出した照明制御部３は、かご内照明装置９を半数点灯させる半数点灯信号を制御盤信号入出力装置４−テールコード２０−かご信号入出力装置６を介して照明切り替え装置８へ出力し、照明切り替え装置８はかご内照明装置９の半数の照明を点灯させる（ステップＳ６）。
【００２４】
このように、照明切り替え装置８は、照明制御部３から出力される信号によって、かご内照明装置９を全数点灯、半数点灯、消灯とする制御を行う。
【００２５】
本実施形態によれば、照明スイッチ１１をＯＦＦとしても、図示しないドアが開いているときは、かご内照明装置９を半数点灯とするので、ある程度の明るさを確保でき、簡単な作業が行えるとともに、照明スイッチ１１がＯＦＦであることが確認できるので、照明スイッチ１１のＯＦＦのままとすることが防止できる。
【００２６】
また、照明スイッチ１１をＯＦＦとしていても、図示しないドアを開けることで、かご内照明装置９を半数点灯させて、乗りかご５の存在を認識させるようにしたので、不注意により昇降路内に落下する事故を防止できる。
【符号の説明】
【００２７】
１  エレベーター制御盤
２  エレベーター制御部
３  照明制御部
４  制御盤信号入出力装置
５  乗りかご
６  かご信号入出力装置
７  ドア開閉検出装置
８  照明切り替え装置
９  かご内照明装置
１０  運転盤ボックス
１１  照明スイッチ
１２  ドア止めスイッチ
２０  テールコード
【図１】
2012106833.tif 000003
【図２】
2012106833.tif 000004